(57)【特許請求の範囲】
【請求項１】
スプールを着脱自在に保持する保持手段を内部に備えた容器本体と、該容器本体の外縁に嵌合する蓋体とからなるスプールケースであって、
前記蓋体に、スプールの胴部内側に所定の間隙を有して装入する膨出状の案内隆を設け、該案内隆は、基端側から先端側に向けてその外径が漸次小径となるよう円錐台形状に形成されてスプールケース開閉の際にスプールをガイドすると共に、その基端側外周に突設してスプールの径方向のガタ付きを防止する複数の嵌合部を有したことを特徴とするスプールケース。
【請求項２】
容器本体に、スプールを嵌合せしめる膨出状の嵌合隆を設けて上記保持手段を形成したことを特徴とする請求項１記載のスプールケース。
【請求項３】
容器本体に、スプールのフランジ外周縁に係脱自在に係合する係合手段を設けて上記保持手段を形成したことを特徴とする請求項１記載のスプールケース。
【請求項４】
スプールケースの内部に、ボンディングワイヤを巻き回したスプールを収容している請求項１〜３の何れか１項記載のスプールケース。
【発明の詳細な説明】
【０００１】
【発明の属する技術分野】
本発明は半導体用ボンディングワイヤのスプールケースに関し、詳しくは、スプールの胴部に巻き回されたボンディングワイヤに触れることなくスプールを取り扱うことができるスプールケースに関する。
【０００２】
【従来の技術】
従来から、半導体装置の組み立てに用いるボンディングワイヤを巻き回したスプールを収容するためのスプールケースとして、各種構造のものが知られている。
例えば実公昭５８−４１１８８号には、スプールを嵌合せしめる上向膨出状の嵌合隆を一体に備えた容器本体と、該容器本体の外周隆に嵌合する蓋体からなり、該蓋体に前記嵌合隆と対応してスプールと嵌合する押え部を形成し、収容されるスプールを前記嵌合隆と蓋体で定置状に押えてがたつきを防止するようにしたスプールケースが開示されている。
【０００３】
ところで、この種スプールケースに収容されたスプールには、金線等の高価なボンディングワイヤが巻き回されているが、該スプールを嵌合隆に嵌合せしめて容器本体に保持した状態で蓋体を嵌合又は取り外してスプールケースを開閉する際、蓋体の開口縁がボンディングワイヤ表面に触れてしまう等によりボンディングワイヤの損傷が生じる虞れがあった。
【０００４】
本発明は上述した従来事情に鑑みてなされたもので、その目的とする処は、スプールを容器本体に保持した状態でスプールケースを開閉する際に、蓋体の開口縁がボンディングワイヤ表面に触れてしまうような虞れの無いボンディングワイヤ用スプールケースを提供することにある。
【０００５】
【課題を解決するための手段】
上述の目的を達成するために本発明は、蓋体に、スプールの胴部内側に所定の間隙を有して装入する膨出状の案内隆を設け、該案内隆は基端側から先端側に向けてその外径が漸次小径となるよう円錐台形状に形成されてスプールケース開閉の際にスプールをガイドすると共に、その基端側外周に突設してスプールの径方向のガタ付きを防止する複数の嵌合部を有したことを要旨とする。
案内隆の具体的構成としては、案内隆の長さが、蓋体の水平方向長さ（Ｌ）の１／２以上で、且つ蓋体の開口縁より１／２（Ｌ）分だけ突出する範囲内となるよう形成することが好ましい。
【０００６】
このように構成した場合、容器本体にスプールを保持した状態でスプールケースを開閉する際、蓋体に設けた案内隆がガイドとなって、該スプールに巻き回されたボンディングワイヤが蓋体の開口縁に触れることのないよう、スプールを蓋体中心方向へ導く。
【０００７】
容器本体に設ける保持手段は、容器本体にスプールを嵌合せしめる膨出状の嵌合隆を設けて形成することが出来る。
この場合、スプールの胴部内周の一方側に容器本体の嵌合隆が嵌合し、他方側に蓋体の案内隆が装入されるので、スプールケース内においてスプールは嵌合隆と案内隆とで保持され、スプールケース内におけるスプールのがたつきを防止し、より確実に保持することが出来る。
【０００８】
また上記保持手段は、スプールのフランジ外周縁に係脱自在に係合する係合手段を容器本体に設けて形成することが出来る。
この場合、係合手段によるスプールの保持は、スプール胴部内側に対する干渉が生じないものなので、容器本体にスプールを保持したまま、スプールホルダの長短やスプール掛止手段の有無等に関係なく、ボンディング装置のスプールホルダへスプールを装着する事が出来る。
【０００９】
上記案内隆は、基端側から先端側に向けてその外径が漸次小径となる略円錐台形状に形成すると共に、その基端部はスプールの胴部内周に嵌合する程度の外径となるよう形成すると良い。
この場合、スプールの胴部内周の一方側に容器本体の嵌合隆が嵌合し、他方側に蓋体の案内隆の基端部が嵌合するので、スプールケース内においてスプールは嵌合隆と案内隆とで嵌合保持され、スプールケース内におけるスプールのがたつきをより確実に防止することが出来る。
【００１０】
本発明に係るスプールケースは、スプールケースの内部に、ボンディングワイヤを巻き回したスプールを収容している態様を含むものである。
【００１１】
【発明の実施の形態】
以下、本発明の実施の形態の一例を図面を参照して説明する。
図１〜図３に示すスプールケースは、ボンディングワイヤ１を巻き回したスプール２を内部に収容するものであって、相互に嵌合する容器本体３と蓋体４からなる。
【００１２】
スプール２は、この種技術分野において通常用いられる構造のもので、ボンディングワイヤ１を巻き回すための筒状の胴部２ａと、該胴部２ａの両端開口縁に周設した左右のフランジ２ｂ，２ｂを備えている。
【００１３】
容器本体３、蓋体４はプラスチック材等を使用して真空成形法等で成型するをもって弾性変形可能に一体成形される。そうして、ボンディングワイヤ１を巻き回したスプール２を容器本体３に保持し、側方から蓋体４を被せて容器本体３に嵌合させるものである。
【００１４】
容器本体３は、その外周部分に蓋体４の開口縁４ａが嵌合する外周隆５を備え、この外周隆５で囲まれた中央部分には、外側へ突出する膨出状の把持部６を外周隆５と一体に連設する。
また容器本体３は、スプール２を着脱自在に保持するための係合部７，７’を複数備えている。
【００１５】
係合部７は、外周隆５の頂面となる内側面５ａ、すなわち、保持されるスプール２の一方のフランジ２ｂの外側面２ｃと当接する内側面５ａにおいて、フランジ２ｂの外周縁に沿って適宜間隔ごとに複数設けられ、その係合部７の先端部はフランジ２ｂの外周縁に弾性係合するよう略爪状又は略鉤状に形成し、各係合部７を前記一方のフランジ２ｂの外周縁に係合させることによって、該フランジ２ｂを係脱自在に保持し、これにより、スプール２は片持ち状態で容器本体３に着脱自在に保持される。
【００１６】
夫々の係合部７は外周隆５の内側面５ａと一体に連設して、外周隆５と一体に各係合部７が弾性変形し、フランジ２ｂに対する係脱（すなわち、スプール２の着脱）を行えるよう形成する。
尚、本例では左右二つの係合部７をフランジ２ｂの外周縁の左右二箇所に対応するよう設けると共に、上記略爪状又は略鉤状部分を備えない係合部７’を、フランジ２ｂの外周縁の下端側にフランジ２ｂを当接して支承可能に設け、これら三つの係合部７，７’でフランジ２ｂを着脱自在に保持するようにしたが、係合部の数や形状、設ける位置等はこれに限定されず、スプール２を片持ち状に保持可能で且つその脱着が可能な適宜数を適所に設けることができる。
【００１７】
上記内側面５ａの裏面となる外周隆の外側面には、前記各係合部７，７’に対応せしめてリブ８を一体に連設し、外周隆の外端縁５ｂを内側に弾性変形させた際、このリブ８を支点として各係合部７，７’が開方向に弾性変形し、フランジ２ｂに対する係脱が容易になされるよう形成する。
【００１８】
外周隆５の内側面５ａには、スプールホルダの突出部（例えばばね材からなるスプール掛止手段等）に対応する逃げ用凹部９を、前記係合部７，７’の形成に支障がなく、且つ容器本体３に必要な強度，耐久性，弾性が維持される範囲で、適宜複数箇所に設ける。
これにより、容器本体３に保持されたスプール２をスプールホルダに装着する際、前記突出部を凹部９に逃がすことで取り扱いが容易になり、汎用性が向上するため好ましい。
また、凹部９は図中に示すよりもさらに広く形成することも出来る。すなわち広い凹部であるほど、前記突出部の位置合わせが容易になり、スプールホルダへのスプール２の装着がより容易になると共に、汎用性が更に向上する。また凹部９は、簡素な形状の方がごみの付着を防止し得、洗浄し易いため好ましい。
【００１９】
外周隆５の下面には平坦状の定置面１０ａを形成し、蓋体４の後述する定置面１０ｂと共に、スプールケース内に収容したスプール２をその中心軸がほぼ水平になる横向き状態で保持可能な定置手段を形成する。
【００２０】
上記把持部６は容器本体３を取り扱う際の持ち手として機能し、且つ係合部７，７’の不用意な変形を防止する。すなわち、把持部６を設けない場合は外周隆５が把持部として機能するようになるが、この場合、不用意に外周隆５を変形させるに伴い係合部７，７’が弾性変形し、スプール２が脱落する虞れが無いとは言えない。そこで、本例のように把持部６を設け、容器本体３を取り扱う際は把持部６を持ち手とすれば、係合部７，７’の不用意な弾性変形を防止できる。
【００２１】
把持部６の内側の空間１１は、容器本体３に保持されたスプール２の胴部２ａ内側に対応させ、スプールホルダの突出部等の逃げ部として機能すると共に、後述する案内隆１３の先端部１３ａの装入空間として機能する。
【００２２】
尚、把持部６は基端側から先端側に向けて、その外径が漸次小径となる略円錐台形状に形成し、容器本体３同士を密接状に積み重ねることができるようにして、容器本体３の保管，運搬等の際のコストの低減を図るようにする。
【００２３】
蓋体４は、容器本体３の外周隆５に嵌合してスプール２を保護するもので、その深さはスプール２の長さとほぼ同じ位に形成して、その側面壁４ｂの内面にスプール２の他方のフランジ２ｂが当接するようにする。
【００２４】
蓋体４の外周壁４ｃは、上記容器本体３の外周隆５に嵌合可能な略半円筒状とすると共に、下面には平坦状の定置面１０ｂを形成して前述のごとく定置手段を形成する。
該定置手段は、スプール２を収容したスプールケースを作業テーブル上や運搬ケース内等に置く際に、そのスプール２の中心軸がほぼ水平になる横向き状態でスプール２を保持可能に形成する。これによる構造によって、スプール２の胴部２ａに巻き回されたボンディングワイヤ１には、それ自身の荷重、取り扱いや運搬の際等の振動，衝撃等がボンディングワイヤ１の全長にわたってほぼ均等に分散され、巻き回されたボンディングワイヤ１の巻き崩れを効果的に防止出来、さらにスプールケースの転がり防止も図れる。
【００２５】
蓋体４の内部には、容器本体３に保持されたスプール２の胴部２ａ内側に所定の間隙を有して装入する膨出状の案内隆１３を設ける。
案内隆１３は、スプールケースを開閉する際、すなわち、容器本体３に蓋体１を嵌合させる際、及び蓋体１を容器本体３から外す際に、容器本体３に保持されたスプール２の胴部２ａをガイド可能に形成される。
【００２６】
本例の案内隆１３は、蓋体４の側面壁４ｂを内側へ膨出させ、基端側から先端側に向けてその外径が漸次小径となる略円錐台形状に形成し、容器本体３にスプール２を保持した状態でスプールケースを開閉する際、案内隆１３がガイドとなって、該スプール２に巻き回されたボンディングワイヤ１が蓋体４の開口縁４ａに触れることのないよう、スプール２を蓋体４の中心方向へ導く。
また案内隆１３が先細形状となるので、蓋体４同士を複数積み重ねることができるようになり、蓋体４の保管，運搬等の際のコストの低減を図れる。
案内隆１３の先端部１３ａは蓋体４の開口縁４ａより突出させ、容器本体３と蓋体４を相互に嵌合する際に、容器本体３に保持されたスプール２に巻き回されたボンディングワイヤ１が蓋体４の開口縁４ａに触れることのないよう、案内隆１３がガイドとなってスプール２を蓋体４の中心方向へ導く。
また案内隆１３は、蓋体開口縁４ａから突出する部分が把持部６の内側空間１１に収納される長さに形成する。
【００２７】
図中１５は案内隆１３が装入されたスプール２のフランジ２ｂの外側面２ｃに当接するべく、蓋体４の側面壁４ｂに凹設された当接部、１６は該スプール２の胴部２ａ内周に当接するべく、案内隆１３の基端側外周に突設された嵌合部で、上記当接部１５はスプール２の軸方向のガタ付き防止に寄与し、嵌合部１６はスプール２の径方向のガタ付き防止に寄与する。
【００２８】
ところで、この種スプールケースは、使用後に回収され、検査、洗浄、乾燥作業を経て繰り返し使用されるが、容器本体３、蓋体４における隅部になる箇所を全て半径１ｍｍ以上の湾曲面とすれば、洗浄後の乾燥工程における水切りが迅速且つ確実になされるようになる。
【００２９】
以上のように構成した本例のスプールケースは、ボンディングワイヤ１を巻き回したスプール２の一方のフランジ２ｂの外周縁に各係合部７，７’を弾性により係合せしめて、容器本体３にスプール２を保持させ、該スプール２の胴部２ａ内に案内隆１３を装入しながら容器本体３の外周隆５と蓋体４の外周壁４ｃを嵌合させて、ケース内部にスプール２を収容することができる。
またスプールケースの開閉の際に案内隆１３がガイドとなって、スプール２に巻き回されたボンディングワイヤ１が蓋体４の開口縁４ａに触れることのないよう、スプール２を蓋体中心方向へ導く。
スプールケースを開いた後は、スプール２が保持された容器本体３の外周隆５を取り扱うことによって、スプール２に直接手を触れることなく該スプール２の着脱を行うことができる。
【００３０】
すなわち、スプール２の保持手段は各係合部７の弾性係合力により維持され、それら係合部７を弾性変形させてフランジ２ｂから外さない限り解除されない。また該保持手段は、各係合部７をフランジ２ｂ外周縁に係合させて保持するもので、スプール胴部２ａに巻き回したボンディングワイヤ１やスプール２の胴部２ａ内側に対する干渉が生じない。
【００３１】
次に、図４〜図５に示す実施の形態の一例について説明する。このスプールケースは、容器本体３’に、スプール２を嵌合せしめる膨出状の嵌合隆２０を設け、この嵌合隆２０に突部２１の保持手段を形成したもので、それ以外は図１〜図３に示すスプールケースと同様の構成とし、同一の符号を付して、重複する説明は省略する。
【００３２】
容器本体３’は、外周隆５で囲まれた中央部分に、スプール２の胴部２ａを嵌合せしめる膨出状の嵌合隆２０を一体に設けて、スプール２を着脱自在に保持する保持手段を形成している。該嵌合隆２０はスプール２を片持ち状に保持可能な長さに形成する。また嵌合隆２０の外周にはスプール胴部２ａ内周に当接する突部２１を形成し、スプール２を嵌合隆２０の外周に保持して径方向のガタ付きを防止する。
またこの例の案内隆１３は、容器本体３’の外周隆５と蓋体４を相互に嵌合させた状態において、その先端部１３ａが嵌合隆２０と当接する程度の長さに形成する。
【００３３】
この例のスプールケースによれば、図１〜図３に示すスプールケースと同様、スプールケースの開閉の際に案内隆１３がガイドとなって、スプール２に巻き回されたボンディングワイヤ１が蓋体４の開口縁４ａに触れることのないよう、スプール２を蓋体中心方向へ導くことができる。
【００３４】
以上、本発明の実施の形態の二例を説明したが、本発明はこれらに限定されず、本願の特許請求範囲に記載された技術的思想の範囲内であれば、他の異なる実施形態とすることも可能である。特に、本願出願人による先提案のスプールケース（特願平９−２１４７８３号、特願平９−３４２８４３号、特願平１０−１１１０７号等）に開示された各種構成との組み合わせを図ることは、本願と先提案の構成との相乗効果が期待できるので好ましい。
また、図４〜図５に示す容器本体３’において、嵌合隆２０を平面視方形状に形成したり、嵌合隆２０にスリットを形成する等の変更も可能であり、その場合も本発明の所期の目的を達成し得ることは言うまでもない。
【００３５】
また、容器本体３、蓋体４の何れか一方又は双方を透明体とすれば、スプール２に巻かれたワイヤ１の種別，規格等を確認できるため好ましい。
【００３６】
尚、図示の都合上、ボンディングワイヤ１は実際より太く、且つスプール２に対して単層状に巻き付けるよう示したが、ボンディングワイヤ１は直径１ｍｍ以下の細線であって、スプール２に多層状に巻回される。しかも、保持手段の係合部７，７’は、該多層状に巻回されるボンディングワイヤ１の表層部分に接触しない程度の寸法をもって形成することはいうまでもない。
【００３７】
【発明の効果】
本発明は以上説明したように構成したので、スプールケースの開閉に際し、容器本体に保持されたスプールを蓋体の案内隆でガイドして、スプールに巻き回されたボンディングワイヤが蓋体の開口縁に触れることを防止することが出来る。
従って、容器本体にスプールを保持した状態でスプールを取り扱うことが出来ると共に、スプールケース開閉の際にボンディングワイヤの損傷等が生じることのないといった、信頼性の高いスプールケースを提供できる。
【００３８】
容器本体に膨出状の嵌合隆を設けてスプールの保持手段を形成した場合、スプールのガタ付き防止がより確実になり、また、容器本体は従来の構造と同じとしながら前述の効果が得られるのでスプールケースの製造コストを低減し得る等の利点がある。
【００３９】
容器本体に係合手段を設けて保持手段を形成した場合、容器本体にスプールを保持したままスプールホルダーへスプールを装着する事が出来る。
従って、ボンディングワイヤ表面に手が触れてしまうことによる損傷等が生じることなくスプールを取り扱えると共に、スプールホルダの長短やスプール掛止手段の存在等に左右されずに各種ボンディング装置への対応が可能な汎用性を備える。
また、係合手段によりフランジ保持状態が維持されるので、万が一作業者が手を離したとしても、スプール脱落の虞れのない信頼性の高い取り扱い作業を実現できる等の効果がある。
【図面の簡単な説明】
【図１】本発明の実施の形態の一例を示す縦断正面図。
【図２】本発明の実施の形態の一例を示す縦断側面図。
【図３】本発明の実施の形態の一例を示す分解斜視図。
【図４】本発明の実施の形態の他例を示す縦断正面図。
【図５】本発明の実施の形態の他例を示す分解斜視図。
【符号の説明】
１：ボンディングワイヤ
２：スプール
２ａ：胴部
２ｂ：フランジ
３：容器本体
４：蓋体
５：外周隆
７：係合部（保持手段）
１３：案内隆
【図１】
0003793355.tif 000002
【図２】
0003793355.tif 000003
【図３】
0003793355.tif 000004
【図４】
0003793355.tif 000005
【図５】
0003793355.tif 000006